【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
装着可能な機能部品を用いて機能する画像形成装置であって、
前記機能部品には、当該機能部品の識別情報が第１情報として記憶され、かつ当該機能部品を使用可能な少なくとも１つの画像形成装置の識別情報が第２情報として記憶され、
前記画像形成装置は、
当該画像形成装置の識別情報を第３情報として記憶し、かつ当該画像形成装置に使用可能な少なくとも１つの機能部品の識別情報を第４情報として記憶する記憶手段と、
当該画像形成装置に装着された前記機能部品から、前記第１および第２情報を読み出すための読み出し手段と、
前記第１および第２情報と前記第３および第４情報とを比較し、前記第４情報が前記第１情報を含むとき、または前記第２情報が前記第３情報を含むときは、当該画像形成装置に装着された前記機能部品は使用可能であると判定し、前記第４情報が前記第１情報を含まずかつ前記第２情報が前記第３情報を含まないときは、当該画像形成装置に装着された前記機能部品は使用不可能であると判定する判定手段と、
を備えることを特徴とする画像形成装置。
【請求項２】
前記判定手段は、前記第４情報が前記第１情報を含むか否かを判定する第１判定部と、前記第２情報が前記第３情報を含むか否かを判定する第２判定部と、を含み、
前記第２判定部は、前記第１判定部によって前記第４情報が前記第１情報を含まないと判定されたときに、前記第２情報が前記第３情報を含むか否かを判定する
ことを特徴とする請求項１に記載の画像形成装置。
【請求項３】
前記第４情報が前記第１情報を含まず、かつ前記第２情報が前記第３情報を含むときに、前記第１情報を前記第４情報に加えるように、前記第１情報を前記記憶手段に書き込む書き込み手段を備えることを特徴とする請求項１または２に記載の画像形成装置。
【請求項４】
前記判定手段によって前記機能部品が使用不可能であると判定されたときに、前記機能部品を使用するためのソフトウェアの更新が必要であることを通知する手段を備えることを特徴とする請求項１から３のいずれかに記載の画像形成装置。
【請求項５】
前記機能部品は、前記画像形成装置にて用いられる種類の消耗品または情報の少なくとも一方を備え、
前記画像形成装置は、前記判定手段によって前記機能部品が使用可能であると判定されたときに、前記機能部品に備わる消耗品または情報を導入可能な導入部を備える
ことを特徴とする請求項１から４のいずれかに記載の画像形成装置。
【請求項６】
画像形成装置に装着されて用いられる機能部品であって、
前記画像形成装置には、当該画像形成装置の識別情報が第３情報として記憶され、かつ当該画像形成装置に使用可能な少なくとも１つの機能部品の識別情報が第４情報として記憶され、
前記機能部品は、
当該機能部品の識別情報を第１情報として記憶し、かつ当該機能部品を使用可能な少なくとも１つの画像形成装置の識別情報を第２情報として記憶する記憶手段と、
前記第１および第２識別情報を前記画像形成装置に出力する出力部と、
を備え、
前記第１および前記第２情報は、当該機能部品が前記記録装置において使用可能であるときに、前記第１情報が前記第４情報に含まれ、または前記第２情報が前記第３情報を含み、当該機能部品が前記記録装置において使用不可能であるときに、前記第１情報が前記第４情報に含まれずかつ前記第２情報が前記第３情報を含まない
ことを特徴とする機能部品。
【請求項７】
前記画像形成装置にて用いられる種類の消耗品または情報の少なくとも一方と、
当該機能部品が前記記録装置において使用可能であるときに、前記消耗品または前記情報を前記記録装置に導出可能な導出部と、
を備えることを特徴とする請求項６に記載の機能部品。
【請求項８】
画像形成装置に装着される機能部品が当該画像形成装置に使用可能であるか否かを判別する機能部品の判別方法であって、
前記機能部品に、当該機能部品の識別情報を第１情報として記憶し、かつ当該機能部品を使用可能な少なくとも１つの画像形成装置の識別情報を第２情報として記憶し、
前記画像形成装置に、当該画像形成装置の識別情報を第３情報として記憶し、かつ当該画像形成装置に使用可能な少なくとも１つの機能部品の識別情報を第４情報として記憶し、
前記第４情報が前記第１情報を含むとき、または前記第２情報が前記第３情報を含むときは、当該画像形成装置に装着された前記機能部品は使用可能であると判定し、前記第４情報が前記第１情報を含まずかつ前記第２情報が前記第３情報を含まないときは、当該画像形成装置に装着された前記機能部品は使用不可能であると判定する
ことを特徴とする機能部品の判別方法。
【請求項９】
画像形成装置に装着される機能部品が使用可能であるか否かを判別するための制御プログラムであって、
前記機能部品は、当該機能部品の識別情報を第１情報として記憶し、かつ当該機能部品を使用可能な少なくとも１つの画像形成装置の識別情報を第２情報として記憶しており、
前記画像形成装置は、当該画像形成装置の識別情報を第３情報として記憶し、かつ当該画像形成装置に使用可能な少なくとも１つの機能部品の識別情報を第４情報として記憶しており、
前記機能部品が前記画像形成装置に使用可能であるか否かを判定する際に前記第１および第２情報と前記第３および第４情報とを比較し、前記第４情報が前記第１情報を含むとき、または前記第２情報が前記第３情報を含むときは、当該画像形成装置に装着された前記機能部品は使用可能であると判定し、前記第４情報が前記第１情報を含まずかつ前記第２情報が前記第３情報を含まないときは、当該画像形成装置に装着された前記機能部品は使用不可能であると判定するステップ、
をコンピュータに実行させることを特徴とする制御プログラム。
【請求項１０】
前記第４情報が前記第１情報を含まないと判定されたときに、前記第２情報が前記第３情報を含むか否かを判定することを特徴とする請求項９に記載の制御プログラム。
【請求項１１】
前記第４情報が前記第１情報を含まず、かつ前記第２情報が前記第３情報を含むときに、前記第１情報を前記第４情報に加えるように前記画像形成装置に記憶させるステップをコンピュータに実行させることを特徴とする請求項９または１０に記載の制御プログラム。
【請求項１２】
前記機能部品が使用不可能であると判定されたときに、前記機能部品を使用するためのソフトウェアの更新が必要であることを通知するステップをコンピュータに実行させることを特徴とする請求項９から１１のいずれかに記載の制御プログラム。
【請求項１３】
コンピュータにより読取り可能なプログラムコードを格納した記憶媒体であって、請求項９から１２のいずれかに記載の制御プログラムを格納したことを特徴とする記憶媒体。
【手続補正２】
【補正対象書類名】明細書
【補正対象項目名】０００８
【補正方法】変更
【補正の内容】
【０００８】
本発明の画像形成装置は、装着可能な機能部品を用いて機能する画像形成装置であって、前記機能部品には、当該機能部品の識別情報が第１情報として記憶され、かつ当該機能部品を使用可能な少なくとも１つの画像形成装置の識別情報が第２情報として記憶され、前記画像形成装置は、当該画像形成装置の識別情報を第３情報として記憶し、かつ当該画像形成装置に使用可能な少なくとも１つの機能部品の識別情報を第４情報として記憶する記憶手段と、当該画像形成装置に装着された前記機能部品から、前記第１および第２情報を読み出すための読み出し手段と、前記第１および第２情報と前記第３および第４情報とを比較し、前記第４情報が前記第１情報を含むとき、または前記第２情報が前記第３情報を含むときは、当該画像形成装置に装着された前記機能部品は使用可能であると判定し、前記第４情報が前記第１情報を含まずかつ前記第２情報が前記第３情報を含まないときは、当該画像形成装置に装着された前記機能部品は使用不可能であると判定する判定手段と、を備えることを特徴とする。
【手続補正３】
【補正対象書類名】明細書
【補正対象項目名】０００９
【補正方法】変更
【補正の内容】
【０００９】
本発明の機能部品は、画像形成装置に装着されて用いられる機能部品であって、前記画像形成装置には、当該画像形成装置の識別情報が第３情報として記憶され、かつ当該画像形成装置に使用可能な少なくとも１つの機能部品の識別情報が第４情報として記憶され、前記機能部品は、当該機能部品の識別情報を第１情報として記憶し、かつ当該機能部品を使用可能な少なくとも１つの画像形成装置の識別情報を第２情報として記憶する記憶手段と、前記第１および第２識別情報を前記画像形成装置に出力する出力部と、を備え、前記第１および前記第２情報は、当該機能部品が前記記録装置において使用可能であるときに、前記第１情報が前記第４情報に含まれ、または前記第２情報が前記第３情報を含み、当該機能部品が前記記録装置において使用不可能であるときに、前記第１情報が前記第４情報に含まれずかつ前記第２情報が前記第３情報を含まないことを特徴とする。
【手続補正４】
【補正対象書類名】明細書
【補正対象項目名】００１０
【補正方法】変更
【補正の内容】
【００１０】
本発明の機能部品の判別方法は、画像形成装置に装着される機能部品が当該画像形成装置に使用可能であるか否かを判別する機能部品の判別方法であって、前記機能部品に、当該機能部品の識別情報を第１情報として記憶し、かつ当該機能部品を使用可能な少なくとも１つの画像形成装置の識別情報を第２情報として記憶し、前記画像形成装置に、当該画像形成装置の識別情報を第３情報として記憶し、かつ当該画像形成装置に使用可能な少なくとも１つの機能部品の識別情報を第４情報として記憶し、前記第４情報が前記第１情報を含むとき、または前記第２情報が前記第３情報を含むときは、当該画像形成装置に装着された前記機能部品は使用可能であると判定し、前記第４情報が前記第１情報を含まずかつ前記第２情報が前記第３情報を含まないときは、当該画像形成装置に装着された前記機能部品は使用不可能であると判定することを特徴とする。
【手続補正５】
【補正対象書類名】明細書
【補正対象項目名】００１１
【補正方法】変更
【補正の内容】
【００１１】
本発明の制御プログラムは、画像形成装置に装着される機能部品が使用可能であるか否かを判別するための制御プログラムであって、前記機能部品は、当該機能部品の識別情報を第１情報として記憶し、かつ当該機能部品を使用可能な少なくとも１つの画像形成装置の識別情報を第２情報として記憶しており、前記画像形成装置は、当該画像形成装置の識別情報を第３情報として記憶し、かつ当該画像形成装置に使用可能な少なくとも１つの機能部品の識別情報を第４情報として記憶しており、前記機能部品が前記画像形成装置に使用可能であるか否かを判定する際に前記第１および第２情報と前記第３および第４情報とを比較し、前記第４情報が前記第１情報を含むとき、または前記第２情報が前記第３情報を含むときは、当該画像形成装置に装着された前記機能部品は使用可能であると判定し、前記第４情報が前記第１情報を含まずかつ前記第２情報が前記第３情報を含まないときは、当該画像形成装置に装着された前記機能部品は使用不可能であると判定するステップ、をコンピュータに実行させることを特徴とする。